(57)【特許請求の範囲】
【請求項１】
ファインダー視野内の複数の測距ゾーン内に見える複数の被写体の一つに対して撮影レンズを合焦させることができる多点方式のオートフォーカス機能を備えるカメラにおいて、
前記撮影光学系の結像位置にピント板が配設され、該ピント板には、前記ファインダー視野内の各測距ゾーンに合わせて複数のスプリットイメージプリズムが形成されていることを特徴とするカメラのファインダー。
【請求項２】
前記スプリットイメージプリズムは、ファインダー視野の中央と、中央を挟んだ長手方向の両側に配置されていることを特徴とする請求項１に記載のカメラのファインダー。
【請求項３】
前記中央のスプリットイメージプリズムと両側のスプリットイメージプリズムとで視野内に占める面積が異なることを特徴とする請求項２に記載のカメラのファインダー。
【請求項４】
前記中央のスプリットイメージプリズムは、両側のスプリットイメージプリズムのそれぞれより視野内に占める面積が大きいことを特徴とする請求項３に記載のカメラのファインダー。
【請求項５】
前記中央のスプリットイメージプリズムの中心と両側のスプリットイメージプリズムの中心とが視野内で前記長手方向に沿って一直線上に配置されていることを特徴とする請求項２に記載のカメラのファインダー。
【請求項６】
前記中央のスプリットイメージプリズムの中心が前記両側のスプリットイメージプリズムの中心を結ぶ直線からシフトしていることを特徴とする請求項２に記載のカメラのファインダー。
【請求項７】
前記中央のスプリットイメージプリズムの中心が前記直線よりカメラの上部側にシフトしていることを特徴とする請求項６に記載のカメラのファインダー。
【請求項８】
前記中央のスプリットイメージプリズムと両側のスプリットイメージプリズムとでイメージの分割ラインの方向が異なることを特徴とする請求項２に記載のカメラのファインダー。
【請求項９】
前記中央のスプリットイメージプリズムの前記分割ラインは前記長手方向と平行であり、
両側のスプリットイメージプリズムの前記分割ラインは前記長手方向に直交することを特徴とする請求項８に記載のカメラのファインダー。
【発明の詳細な説明】
【０００１】
【発明の属する技術分野】
この発明は、視野内に複数の測距ゾーンを備えるカメラのファインダーに関し、特に、視野内にスプリットイメージプリズムを備えるファインダーに関する。
【０００２】
【従来の技術】
一眼レフカメラのファインダーには、一般にファインダー視野の中央にスプリットイメージプリズムが配置されている。スプリットイメージプリズムは、クイックリターンミラーとペンタプリズムとの間のピント面に配置されたピント板の中央に形成されている。撮影者は、ピントを合わせようとする被写体を視野の中央に位置させてスプリットイメージに合わせ、イメージを確認しながらフォーカスリングを操作してピントを合わせる。
【０００３】
また、近時の一眼レフカメラはオートフォーカス機能を備えるものが一般的であるが、オートフォーカス機能を備えるカメラのピント板は、一般に測距ゾーンを示すラインが引かれた全面マット面のピント板であり、撮影者はピントを合わせようとする被写体を測距ゾーン(フォーカスエリア、このゾーン内に見える被写体に対してピントを合わせることができる)に合わせてオートフォーカスをかける。なお、測距ゾーンは一般にファインダー視野の中央に設けられているが、オートフォーカス機能を備えるカメラの中には、複数の測距ゾーンを備えるいわゆる多点方式のオートフォーカス機能を備えるものもある。
【０００４】
【発明が解決しようとする課題】
しかしながら、上述した従来のオートフォーカス機能を備えるカメラでは、ファインダー視野の明るさを確保するためにピント板の拡散性が弱く設定されており、オートフォーカスにより被写体に対して合焦させた場合にも、それが撮影者がピントを合わせようと意図している被写体に一致しているのか否かをファインダー像を見て確認するのが困難であるという問題がある。特に、多点方式のオートフォーカス機能を備えるカメラでは、ファインダー像を見ただけではいずれの測距ゾーンの被写体に対して合焦しているかを確認するのが難しい。この種のカメラではピント合わせをカメラ側に負担させているため、合焦状態の確認機能に関するウェイトが相対的に低く、より明るい視野を得ることにウェイトがおかれているためである。
【０００５】
この発明は、上述した従来技術の課題に鑑みてなされたものであり、多点方式のオートフォーカス機能を有するカメラにおいて、各測距ゾーン内の被写体に対する合焦状態を容易に確認することができるカメラのファインダーを提供することを目的とする。
【０００６】
【課題を解決するための手段】
この発明に係るカメラのファインダーは、上記の目的を達成させるため、ファインダー視野内の複数の測距ゾーン内に見える複数の被写体の一つに対して撮影レンズを合焦させることができる多点方式のオートフォーカス機能を備えるカメラにおいて、前記撮影光学系の結像位置にピント板が配設され、該ピント板には、ファインダー視野内の各測距ゾーンに合わせて複数のスプリットイメージプリズムが形成されていることを特徴とする。
【０００７】
スプリットイメージプリズムは、例えば、ファインダー視野の中央と、中央を挟んだ長手方向の両側に配置される。この場合、中央のスプリットイメージプリズムと両側のスプリットイメージプリズムとで視野内に占める面積、あるいは分割ラインの方向が異なるように設定することができる。面積を変える場合には、中央のスプリットイメージプリズムの面積を両側のそれぞれより大く設定することができる。分割ラインの方向を変える場合、中央のスプリットイメージプリズムの分割ラインを長手方向と平行とし、両側のスプリットイメージプリズムの分割ラインを長手方向に直交させることができる。
【０００８】
また、中央のスプリットイメージプリズムの中心と両側のスプリットイメージプリズムの中心とが視野内で長手方向に沿って一直線上に配置してもよいし、中央のスプリットイメージプリズムの中心が両側のスプリットイメージプリズムの中心を結ぶ直線からシフトするように配置してもよい。
【０００９】
【発明の実施の形態】
以下、この発明にかかるカメラのファインダーの実施形態を説明する。図１〜図３は、この発明の第１の実施形態にかかるファインダーを示している。一眼レフカメラのファインダーは、図２に示されるように、撮影レンズ１から入射した被写体光をクイックミラー２で反射させ、フィルム面と等価な位置に配置されたピント板１０を通して、コンデンサレンズ３に入射させ、ペンタプリズム４で正立させてアイピースレンズ５を介して観察するよう構成されている。
【００１０】
ピント板１０は、図１、および図３に示されるように長方形の平板であり、コンデンサレンズ３側の面の中央に第１のスプリットイメージプリズム１１が配置されると共に、その長手方向の両側に第２、第３のスプリットイメージプリズム１２,１３が配置されている。スプリットイメージプリズム以外の部分はマイクロプリズム等が形成されたマット面である。この例では、３つのスプリットイメージプリズムの中心がファインダー視野の長手方向に対して平行な一直線上に位置するよう各プリズムが配置されている。また、図１の例では、３つのスプリットイメージプリズムが視野内で占める面積が等しく、イメージの分割ラインの方向は全て長手方向と平行に設定されている。
【００１１】
なお、実施形態のファインダーを備えるカメラは、多点方式のオートフォーカス機能を備えており、その測距ゾーンはスプリットイメージプリズムに一致するよう構成されている。スプリットイメージプリズム内では、被写体に対して撮影レンズが合焦しているか否かを明確に判断することができるため、撮影者は、意図した測距ゾーン内の被写体に合焦しているか否かを対応するスプリットイメージプリズムを注視することにより容易に判断することができる。
【００１２】
図４は、この発明の第２の実施形態にかかるファインダーに用いられるピント板２０を示す平面図である。他の構成は図２に示した第１の実施形態と同一である。ピント板２０の中央に第１のスプリットイメージプリズム２１が配置されると共に、その長手方向の両側に第２、第３のスプリットイメージプリズム２２,２３が配置されている。この例では、３つのスプリットイメージプリズムの中心がファインダー視野の長手方向に対して平行な一直線上に位置するよう各プリズムが配置されている。
【００１３】
また、図４の例では、中央のスプリットイメージプリズムが視野内で占める面積が両側の個々のスプリットイメージプリズムが占める面積より大きく設定されている。イメージの分割ラインの方向は全て長手方向と平行に設定されている。一般的に、構図を決める際にはピントを合わせたい被写体を視野の中央に位置させる場合が多く、その際には両側のスプリットイメージプリズムは構図の確認の際の妨げになる可能性がある。図４の例では、使用頻度が最も高いと考えられる中央のスプリットイメージプリズムの面積を相対的に大きくし、両側のスプリットイメージプリズムが構図決定の際の妨げとならないようにしている。
【００１４】
図５は、この発明の第３の実施形態にかかるファインダーに用いられるピント板３０を示す平面図である。他の構成は図２に示した第１の実施形態と同一である。ピント板３０の中央に第１のスプリットイメージプリズム３１が配置されると共に、その長手方向の両側に第２、第３のスプリットイメージプリズム３２,３３が配置されている。この例では、中央のスプリットイメージプリズムの中心が両側のスプリットイメージプリズムの中心を結ぶ直線から上側にシフトするよう各プリズムが配置されている。
【００１５】
また、図５の例では、３つのスプリットイメージプリズムが視野内で占める面積が等しく、イメージの分割ラインの方向は全て長手方向と平行に設定されている。中央のスプリットイメージプリズムを相対的に上側に配置することにより、被写体をこの中央のスプリットイメージプリズムに合わせたときにカメラは相対的に若干下側に向けられることとなる。初心者が構図を決める際には、カメラを上側に向けすぎる傾向があり、図５の配置はそのような構図決定の失敗を防ぐために有効である。
【００１６】
図６は、この発明の第４の実施形態にかかるファインダーに用いられるピント板４０を示す平面図である。他の構成は図２に示した第１の実施形態と同一である。ピント板４０の中央に第１のスプリットイメージプリズム４１が配置されると共に、その長手方向の両側に第２、第３のスプリットイメージプリズム４２,４３が配置されている。この例では、中央のスプリットイメージプリズムの分割ラインが長手方向と平行とされ、両側のスプリットイメージプリズムの分割ラインが長手方向に直交している。
【００１７】
また、図６の例では、３つのスプリットイメージプリズムが視野内で占める面積が等しく、３つのスプリットイメージプリズムの中心がファインダー視野の長手方向に対して平行な一直線上に位置するよう各プリズムが配置されている。スプリットイメージを用いた合焦状態の確認は、イメージの分割ラインに直交するような被写体に対して有効であり、分割ラインに平行な線が被写体であるような場合には確認が困難である。中央と両側とでイメージの分割ラインの方向を異ならせることにより、どのような被写体に対しても、かつ、カメラを視野が横長になるように構えた場合にも、縦長になるよう構えた場合にも、合焦状態の確認ができるようになる。
【００１８】
【発明の効果】
以上説明したように、この発明によれば、多点方式のオートフォーカス機能を有するカメラにおいて、複数の測距ゾーンに合わせてスプリットイメージプリズムを配置することにより、各測距ゾーン内に位置する被写体に対する合焦状態をファインダー内で確実に確認することができ、撮影者が意図する被写体に合焦しているか否かを容易に知ることができる。
【図面の簡単な説明】
【図１】  この発明の第１の実施形態にかかるファインダーに利用されるピント板の斜視図である。
【図２】  第１の実施形態のファインダーの概略構成を示す説明図である。
【図３】  図１のピント板の平面図である。
【図４】  この発明の第２の実施形態にかかるファインダーに利用されるピント板の平面図である。
【図５】  この発明の第３の実施形態にかかるファインダーに利用されるピント板の平面図である。
【図６】  この発明の第４の実施形態にかかるファインダーに利用されるピント板の平面図である。
【符号の説明】
１  撮影レンズ
２  クイックリターンミラー
３  コンデンサレンズ
４  ペンタプリズム
５  アイピースレンズ
１０  ピント板
１１  第１のスプリットイメージプリズム
１２  第２のスプリットイメージプリズム
１３  第３のスプリットイメージプリズム
【図１】
0003787209.tif 000002
【図２】
0003787209.tif 000003
【図３】
0003787209.tif 000004
【図４】
0003787209.tif 000005
【図５】
0003787209.tif 000006
【図６】
0003787209.tif 000007